(57)【要約】【課題】  吸気管のレイアウトの設計自由度を高くすることを課題とする。【解決手段】  スロットルボデー４に対するアウトレットダクト５の取付角度を、スロットルボデー４の管周方向に連続的に可変とすることにより、車両進行方向に対するスロットルボデー４の位置関係に車両構造上制約があったとしても、二輪自動車用４サイクルガソリンエンジンの燃焼室内にタンブル流またはスワール流を生成したり、インジェクタ８の噴射孔より噴射される燃料噴霧の微粒化を促進したりする等を任意に選択可能な吸気管のレイアウトをスロットルボデー４またはアウトレットダクト５の形状変更（設計変更）を伴うことなく構成することができる。これによって、車両進行方向に対するスロットルボデー４の取付位置を変更することなく、比較的に流速の速い空気流を３次元的に曲がる吸気ポート１１の天井側壁面に吹き出すことができる。【選択図】  図１
2005337190.tif 000002
【特許請求の範囲】
【請求項１】
（ａ）内部を、内燃機関の吸気ポートに向かう吸入空気が流れる吸気管と、
（ｂ）この吸気管内を流れる吸入空気の流れの平均的な方向に対して垂直方向に回転中心軸線を有するバタフライ弁方式のスロットルバルブと
を備えた内燃機関用吸気絞り装置において、
前記吸気管は、前記スロットルバルブを開閉自在に収容すると共に、前記スロットルバルブのバルブ開度に応じて流路開口面積が変更される吸入空気流路を有する第１管状体と、この第１管状体の下流端に直接的または間接的に結合されて、前記内燃機関の吸気ポートの壁面または吸気バルブの片側に局所的に吸入空気を吹き出すような偏流または層流状の流れを生成する層流生成流路を有する第２管状体とを備え、
前記第１管状体に対する前記第２管状体の取付角度を、前記第１管状体の管周方向に可変としたことを特徴とする内燃機関用吸気絞り装置。
【請求項２】
請求項１に記載の内燃機関用吸気絞り装置において、
前記層流生成流路は、前記内燃機関の吸気ポートに流入する吸入空気の流速および方向性を確保し、前記内燃機関の燃焼室内にて混合気の燃焼を促進させるための渦流を発生させるための渦流生成流路であることを特徴とする内燃機関用吸気絞り装置。
【請求項３】
請求項１に記載の内燃機関用吸気絞り装置において、
前記層流生成流路は、前記第１管状体の吸入空気流路より流入した吸入空気に、比較的に流速の速い気流特性を持たせるか、あるいは燃料噴射弁の噴射孔より噴射された燃料噴霧の微粒化を促進させるための気流特性を持たせる気流特性付与流路であることを特徴とする内燃機関用吸気絞り装置。
【請求項４】
請求項１ないし請求項３のうちのいずれか１つに記載の内燃機関用吸気絞り装置において、
前記層流生成流路の下流端には、前記内燃機関の吸気ポートに向かって吸入空気を吹き出すための空気吹出口が設けられており、
前記空気吹出口は、前記第２管状体の中心軸線方向に対して垂直方向に偏心した位置で開口していることを特徴とする内燃機関用吸気絞り装置。
【請求項５】
請求項４に記載の内燃機関用吸気絞り装置において、
前記層流生成流路の上流端には、前記吸入空気流路から前記層流生成流路内に吸入空気を取り入れるための空気取入口が設けられており、
前記空気取入口は、前記空気吹出口よりも広い開口断面積を有し、
前記空気吹出口は、１箇所のみに設けられていることを特徴とする内燃機関用吸気絞り装置。
【請求項６】
請求項４または請求項５に記載の内燃機関用吸気絞り装置において、
前記層流生成流路の上流端には、前記吸入空気流路から前記層流生成流路内に吸入空気を取り入れるための空気取入口が設けられており、
前記層流生成流路は、前記空気取入口または前記層流生成流路の途中から前記空気吹出口に向かって流路断面積が次第に小さくなるように設けられていることを特徴とする内燃機関用吸気絞り装置。
【請求項７】
請求項４ないし請求項６のうちのいずれか１つに記載の内燃機関用吸気絞り装置において、
前記内燃機関は、前記空気吹出口から吹き出される吸入空気の流路近傍に、前記内燃機関の吸気ポートに向けて燃料噴霧を噴射する噴射孔を設けた燃料噴射弁を搭載していることを特徴とする内燃機関用吸気絞り装置。
【請求項８】
請求項１ないし請求項７のうちのいずれか１つに記載の内燃機関用吸気絞り装置において、
前記第１管状体は、前記吸入空気流路の周囲を取り囲むように前記吸入空気流路に対して並列的に設けられて、前記第１管状体の下流端のみで開口して前記層流生成流路に連通する空間を有し、
前記第１管状体の下流側を、前記吸入空気流路と前記空間とを筒状隔壁で仕切ることで部分二重管構造としたことを特徴とする内燃機関用吸気絞り装置。
【請求項９】
請求項８に記載の内燃機関用吸気絞り装置において、
前記第１管状体には、圧力センサが設置されており、
前記圧力センサは、前記空間に連通する圧力導入通路を有し、前記圧力導入通路から導入される空気圧力を検出することを特徴とする内燃機関用吸気絞り装置。
【請求項１０】
請求項８または請求項９に記載の内燃機関用吸気絞り装置において、
前記第１管状体には、補助空気量制御弁が設置されており、
前記補助空気量制御弁は、前記スロットルバルブを迂回すると共に、前記空間に連通する補助空気通路を有し、前記スロットルバルブのバルブ全閉時に前記補助空気通路内を流れる補助空気量を調節することを特徴とする内燃機関用吸気絞り装置。
【請求項１１】
請求項１ないし請求項１０のうちのいずれか１つに記載の内燃機関用吸気絞り装置において、
前記第１管状体および前記第２管状体は、それぞれ樹脂材料によって一体的に形成されており、
前記第１管状体の下流端と前記第２管状体の上流端とを熱溶着を用いて結合していることを特徴とする内燃機関用吸気絞り装置。
【請求項１２】
請求項１ないし請求項１０のうちのいずれか１つに記載の内燃機関用吸気絞り装置において、
前記第１管状体および前記第２管状体は、それぞれ樹脂材料によって一体的に形成されており、
前記第１管状体の下流端には、前記第１管状体の管周方向に等間隔で複数の係合孔が形成されており、
前記第２管状体の上流端には、前記第２管状体の管周方向に等間隔で複数の係合爪が形成されており、
前記第１管状体の複数の係合孔内に、前記第２管状体の複数の係合爪を弾性変形を用いて嵌め込むことで、前記第１管状体の下流端と前記第２管状体の上流端とを結合していることを特徴とする内燃機関用吸気絞り装置。
【発明の詳細な説明】
【技術分野】
【０００１】
本発明は、運転者のアクセル操作量またはスロットル操作量に対応して内燃機関の吸気ポートへの吸入空気量を変更してエンジントルクまたはエンジン回転速度を制御する内燃機関用吸気絞り装置に関するもので、特に内燃機関の吸気ポートに流入する吸入空気の流速および方向性を確保し、内燃機関の燃焼室内に渦流を発生させて燃焼を安定させる内燃機関用渦流生成装置に係わる。
【背景技術】
【０００２】
［従来の技術］
従来より、スロットルボデーの下流端とエンジンのシリンダヘッドに形成される吸気ポートとの間にサージタンクを持たない、例えば二輪自動車用エンジンにおいては、スロットルバルブの開弁が片側からのみ行われるスライド弁方式のスロットルバルブを用いて、スロットルボデーの下流端に接続される吸気管内に形成される吸気通路を、吸入空気の流れ方向に直交する方向に２分割することで、スロットルバルブの弁開度が小さい低開度時に、二輪自動車用エンジンの吸気ポートに流入する吸入空気の流速および方向性を確保し、四輪自動車用エンジンの吸気系統に比べてコンパクト化された二輪自動車用エンジンの吸気装置が提案されている（例えば、特許文献１参照）。
【０００３】
［従来の技術の不具合］
ところが、従来の特許文献１に記載の二輪自動車用エンジンの吸気装置においては、スライド弁方式のスロットルバルブを採用していることから、シャフト部の外周部よりシャフト部の直径方向の両側に突出するようにそれぞれ設けられた２つのディスク部の外周端全周とスロットルボデーの円管状ボア壁部の内壁面（ボア内径面）との間から吸入空気が吸気ポートに向かうバタフライ弁方式のスロットルバルブに比べて、体格の上昇を招いているという問題が生じている。
【０００４】
［先行の技術の不具合］
そこで、内燃機関の吸気系統、特にスロットルボデーを含む吸気管の体格が非常にコンパクトなバタフライ弁方式のスロットルバルブを備えた内燃機関用吸気絞り装置を提供するという目的で、既に特願２００３−９６７２４号（平成１５年３月３１日出願）を出願した。これは、図９に示したように、スロットルボデー１０１の、スロットルバルブ１０２よりも下流側の構造を、スロットルバルブ１０２のバルブ開度が小さい低開度（α°）時に吸入空気が流入する渦流生成流路１０３とスロットルバルブ１０２のバルブ開度が大きい高開度時のみ吸入空気が流入する吸入空気流路１０４とを円管状の隔壁１０５で仕切ることで二重管構造としている。そして、渦流生成流路１０３の下流端を、周方向の仕切り板１０６で仕切り、その仕切り板１０６の一部に、スロットルバルブ１０２のバルブ開度が小さい低開度（α°）時に、内燃機関の吸気ポート１０７を開閉する吸気バルブ１０８の片側に比較的に流速の速い吸入空気を流入させるための開口部１０９を設けている。  
【０００５】
これにより、スロットルバルブ１０２のバルブ開度が小さい低開度（α°）時に、周方向の仕切り板１０６に設けられた開口部１０９より内燃機関の吸気ポート１０７内に流入する比較的に流速の速い流れに、内燃機関のシリンダヘッド１１０に取り付けたインジェクタ１１１の噴射孔から燃料を当てることによって燃料の霧化を促進させることができる。また、吸気バルブ１０８の開弁時に、内燃機関の吸気ポート１０７の上層部側から吸気バルブ１０８の片側を経て気筒の燃焼室内に、比較的に流速の速い混合気を入れることによって気筒の燃焼室内で渦流（例えば縦方向の渦流：タンブル流）を生成できる。
【０００６】
また、吸入空気量が少ない場合に、吸入空気をバタフライ弁方式のスロットルバルブにより収束された偏流として吸気ポートの壁面に沿った流れとすると共に、この偏流状態が吸気バルブに至るまでの間十分に維持されるように、スロットルバルブを吸気バルブの近傍に配置することで、気筒の燃焼室内で渦流（例えば横方向の渦流：スワール流）を生成できるようにした、バタフライ弁方式のスロットルバルブを備えた内燃機関用吸気絞り装置も提案されている（例えば、特許文献２参照）。
【０００７】
ところが、バタフライ弁方式のスロットルバルブを備えた内燃機関用吸気絞り装置では、スロットルバルブを内蔵するスロットルボデーの下流端を、内燃機関のシリンダヘッドに形成される吸気ポートの入口に直接結合している。そして、内燃機関の気筒の燃焼室内にタンブル流を生成する場合には、スロットルバルブのバルブ開度が小さい開度の時に、内燃機関の吸気ポートの上層部に沿って吸入空気流が吹き出すように渦流生成流路の空気吹出口を形成する必要があり、また、内燃機関の気筒の燃焼室内にスワール流を生成する場合には、スロットルバルブのバルブ開度が小さい開度の時に、内燃機関の吸気ポートの側方部に沿って吸入空気流が吹き出すように渦流生成流路の空気吹出口を形成する必要がある。
【０００８】
したがって、上記のようなバタフライ弁方式のスロットルバルブを備えた内燃機関用吸気絞り装置では、スワール流からタンブル流に変更する場合、あるいはタンブル流からスワール流に変更する場合には、内燃機関の吸気ポートの入口に対するスロットルボデーの下流端の取付角度を少なくとも９０°以上変更する必要があるが、二輪自動車の場合、車両進行方向に対するスロットルボデーの位置関係に二輪自動車の構造上制約がある。すなわち、スロットルボデーの外壁面からのスロットルシャフトに一体化されるアクセルレバーの取出方向に制約があるので、簡単に内燃機関の吸気ポートの入口に対するスロットルボデーの下流端の取付角度を変更することはできず、スワール流を生成する渦流生成流路を有するスロットルボデーとタンブル流を生成する渦流生成流路を有するスロットルボデーとの間に自由度がなく、希望の渦流を生成することが可能なスロットルボデーをそれぞれ用意する必要があり、コストアップとなるという問題があった。
【特許文献１】特開平１１−１６６４２０号公報（第１−１５頁、図１−図４０）
【特許文献２】特開昭５４−１６３２１５号公報（第１−８頁、第１図−第２図）
【発明の開示】
【発明が解決しようとする課題】
【０００９】
本発明の目的は、車両進行方向に対するスロットルボデー（第１管状体）の位置関係に車両構造上制約があったとしても、内燃機関の吸気ポートの壁面または吸気バルブの片側に局所的に吸入空気を吹き出すような偏流または層流状の流れを生成する層流生成流路を有する第２管状体を、第１管状体に対し管周方向に取付角度可変とすることで、内燃機関の仕様または要求に対応して任意に選択可能な吸気管のレイアウトを第１管状体または第２管状体の形状変更を伴うことなく構成することのできる内燃機関用吸気絞り装置を提供することにある。
【課題を解決するための手段】
【００１０】
請求項１に記載の発明によれば、内部を吸入空気が流れる吸気管を、バタフライ弁方式のスロットルバルブのバルブ開度に応じて流路開口面積が変更される吸入空気流路を形成したスロットルボデー（第１管状体）と、内燃機関の吸気ポートの壁面または吸気バルブの片側に局所的に吸入空気を吹き出すような偏流または層流状の流れを生成する層流生成流路を有するアウトレットダクト（第２管状体）とに２分割し、第１管状体の下流端に第２管状体の上流端を直接的または間接的に結合する。そして、第１管状体に対する第２管状体の取付角度を、第１管状体の管周方向に可変とすることにより、車両進行方向に対する第１管状体の位置関係に車両構造上制約があったとしても、内燃機関の仕様または要求（内燃機関の燃焼室内の燃焼状態や、排気ガス浄化効率を改善する目的で、例えば内燃機関の燃焼室内に縦方向の渦流（タンブル流）を生成したり、内燃機関の燃焼室内に横方向の渦流（スワール流）を生成したり、燃料噴射弁より噴射される燃料噴霧の微粒化を促進したりする等）に対応して任意に選択可能な吸気管のレイアウトを第１管状体または第２管状体の形状変更（設計変更）を伴うことなく構成することができる。これにより、設計自由度の高い吸気管のレイアウトを備える内燃機関用吸気絞り装置を提供することができる。
【００１１】
請求項２に記載の発明によれば、層流生成流路は、内燃機関の吸気ポートに流入する吸入空気の流速および方向性を確保し、内燃機関の燃焼室内にて混合気の燃焼を促進させるための渦流を発生させるための渦流生成流路であることを特徴としている。また、請求項３に記載の発明によれば、層流生成流路は、第１管状体の吸入空気流路より流入した吸入空気に、比較的に流速の速い気流特性を持たせるか、あるいは燃料噴射弁の噴射孔より噴射された燃料噴霧の微粒化を促進させるための気流特性を持たせる気流特性付与流路であることを特徴としている。
【００１２】
請求項４に記載の発明によれば、層流生成流路の下流端に、内燃機関の吸気ポートに向かって吸入空気を吹き出すための空気吹出口を設けている。その空気吹出口は、第２管状体の中心軸線方向に対して垂直方向に偏心した位置で開口していることを特徴としている。また、請求項５に記載の発明によれば、層流生成流路の上流端に、吸入空気流路から層流生成流路内に吸入空気を取り入れるための空気取入口を設けている。そして、空気吹出口よりも広い開口断面積を有する空気取入口から流入した吸入空気は、１箇所のみに設けられた空気吹出口に向かって収束して比較的に流速の速い気流特性を有することになる。さらに、請求項６に記載の発明によれば、層流生成流路の上流端に、吸入空気流路から層流生成流路内に吸入空気を取り入れるための空気取入口を設けている。そして、層流生成流路は、空気取入口または層流生成流路の途中から空気吹出口に向かって流路断面積が次第に小さくなるように設けることにより、層流生成流路内を通過する吸入空気は、空気取入口または層流生成流路の途中から空気吹出口に向かって収束して比較的に流速の速い気流特性を有することになる。
【００１３】
請求項７に記載の発明によれば、内燃機関は、層流生成流路の下流端の空気吹出口から内燃機関の吸気ポートに向かって吹き出される吸入空気の流路近傍に、内燃機関の吸気ポートに向けて燃料噴霧を噴射する噴射孔を有する燃料噴射弁を搭載している。これにより、吸入空気を燃料噴射弁の噴射孔付近に導入することができるので、燃料噴射弁の噴射孔より噴射される燃料噴霧の微粒化を促進させるエアアシスト機能を、燃料噴射弁の噴射孔の形状変更を伴うことなく、簡易な構造で実現することができる。また、請求項８に記載の発明によれば、第１管状体に、スロットルバルブによって開閉される吸入空気流路を設けている。そして、第１管状体の下流端のみで開口すると共に、層流生成流路に連通する空間を、吸入空気流路の周囲を取り囲むように吸入空気流路に対して並列的に設けている。そして、第１管状体の下流側を、吸入空気流路と空間とを筒状隔壁で仕切ることで部分二重管構造としている。
【００１４】
請求項９に記載の発明によれば、スロットルバルブのバルブ開度の変更に伴って変化する圧力変動の影響を受け難い空間に連通する圧力導入通路から導入される空気圧力を検出する圧力センサを設けることにより、圧力センサによる空気圧力の検出精度を向上することができる。また、請求項１０に記載の発明によれば、補助空気量制御弁の補助空気通路（の空気導入口）が、スロットルバルブよりも吸入空気の流れ方向の下流側の乱流状態になっている箇所と異なる層流状態の空間、つまりスロットルバルブのバルブ開度の大小に応じて吸入空気の乱れの影響を受けない空間に連通している。これによって、補助空気通路（の空気導入口）付近で不規則な流れ（乱流）が生起することを防止できるので、吸気音の発生を防止することができる。
【００１５】
請求項１１に記載の発明によれば、第１管状体および第２管状体を、それぞれ樹脂材料によって一体的に形成している。そして、第１管状体の下流端と第２管状体の上流端とを熱溶着を用いて結合している。なお、第２管状体を第１管状体の下流端に締結具を用いて締め付け固定しても良いし、また、第１管状体の下流端と第２管状体の上流端とを接着剤を用いて接合しても良い。また、請求項１２に記載の発明によれば、第１管状体および第２管状体を、それぞれ樹脂材料によって一体的に形成している。そして、第１管状体の下流端に形成した複数の係合孔内に、第２管状体の上流端に形成した複数の係合爪を弾性変形を用いて嵌め込むことで、第１管状体の下流端と第２管状体の上流端とを結合している。
【発明を実施するための最良の形態】
【００１６】
本発明を実施するための最良の形態は、車両進行方向に対するスロットルボデー（第１管状体）の位置関係に車両構造上制約があったとしても、内燃機関の仕様または要求に合致した吸気管のレイアウトを第１管状体または第２管状体の形状変更を伴うことなく構成することのできる、設計自由度の高い内燃機関用吸気絞り装置を提供するという目的を、内燃機関の吸気ポートの壁面または吸気バルブの片側に局所的に吸入空気を吹き出すような偏流または層流状の流れを生成する層流生成流路を有する第２管状体を、第１管状体に対し管周方向に連続的または段階的に取付角度可変とすることで実現した。
【実施例１】
【００１７】
［実施例１の構成］
図１ないし図４は本発明の実施例１を示したもので、図１は二輪自動車用エンジンの吸気系統を示した図で、図２ないし図４は内燃機関用吸気絞り装置の主要構成を示した図である。
【００１８】
本実施例の内燃機関用吸気絞り装置は、運転者のアクセル操作量に基づいて内燃機関（例えば二輪自動車用単気筒４サイクルガソリンエンジン：以下エンジンと言う）の吸気系統、つまり内部をエンジンの燃焼室内に向かう吸入空気が流れる吸気管の途中に組み込まれており、エンジンの燃焼室内に吸入される吸入空気量を変更することで、すなわち、二輪自動車等の車両のスロットルレバーまたはスロットルハンドル等のスロットル操作部品のスロットル操作量に基づいてエンジンの燃焼室内に流入する吸入空気量を変更することで、エンジン回転速度またはエンジントルクをコントロールする装置である。なお、スロットル操作量とは、四輪自動車においては、運転者のアクセルペダルの踏み込み量（アクセル操作量）に相当する。
【００１９】
本実施例の内燃機関用吸気絞り装置は、スロットルレバーまたはスロットルハンドル等のスロットル操作部品にワイヤーケーブルを介して機械的に連結されたアクセルレバー１と、このアクセルレバー１と一体化されたスロットルシャフト２と、このスロットルシャフト２と一体的に回転するバタフライ弁方式のスロットルバルブ３と、このスロットルバルブ３を開閉自在に収容するスロットルボデー４と、このスロットルボデー４の下流端に気密的に結合されたアウトレットダクト５と、スロットルバルブ３を、吸入空気量が最小となる全閉位置に戻す方向に付勢するリターンスプリング６と、スロットルバルブ３を迂回するバイパス流路（補助空気通路）９内を流れる補助空気量を調節する補助空気量制御弁（図示せず）とによって構成されている。
【００２０】
ここで、エンジンは、吸入空気と燃料との混合気を燃焼室内で燃焼させて得る熱エネルギーにより出力を得るもので、吸気管（後記するインテークパイプ）の下流端に気密的に結合されるシリンダヘッド１０と、このシリンダヘッド１０に設けられる３次元的な吸気流路形状の吸気ポート（インテークポート）１１より混合気が吸入される燃焼室を形成するシリンダブロック（図示せず）とを備えている。なお、シリンダヘッド１０の一方側に形成される吸気ポート１１は、エンジンのシリンダヘッド１０に装着された円筒状のバルブガイド１２内に往復方向に摺動自在に保持された吸気バルブ（インテークバルブ）１３により開閉され、排気ポート（エキゾーストポート：図示せず）は、エンジンのシリンダヘッド１０に装着された円筒状のバルブガイド（図示せず）内に往復方向に摺動自在に保持された排気バルブ（エキゾーストバルブ：図示せず）により開閉される。
【００２１】
なお、吸気バルブ１３は、エンジンのシリンダヘッド１０の吸気ポート１１に装着された円環状のバルブシート（シートリング）１４に離座または着座することで、吸気ポート１１を開閉するように構成されている。また、排気バルブは、エンジンのシリンダヘッド１０の排気ポートに装着された円環状のバルブシート（シートリング：図示せず）に離座または着座することで、排気ポートを開閉するように構成されている。そして、シリンダヘッド１０とシリンダブロックとで形成されるシリンダの内周面には、エンジンのクランクシャフト（図示せず）にコンロッド（図示せず）を介して連結されるピストンが摺動自在に配設されている。なお、シリンダヘッド１０には、先端部が燃焼室内に露出するようにスパークプラグ（図示せず）が取り付けられている。
【００２２】
また、本実施例の二輪自動車等の車両には、電子制御式燃料噴射装置が搭載されている。これは、電動式のフューエルポンプ（図示せず）により燃料（例えばガソリン）を一定の圧力に加圧してフューエルフィルタ（図示せず）を介してインジェクタ８へ送り、最適なタイミングで燃料を噴射できるようにしたシステムである。そして、電子制御式燃料噴射装置は、エンジンの稼働状態を検出する各種センサ、およびそれらを統合するエンジン制御ユニット（以下ＥＣＵと言う：図示せず）等から構成されている。ここで、インジェクタ（電磁式燃料噴射弁）８および後記する補助空気量制御弁（アイドル回転速度制御弁）を電子制御するＥＣＵの内部には、ＣＰＵ、ＲＡＭ、ＲＯＭ等の機能を含んで構成されたマイクロコンピュータが設けられ、各種センサからのセンサ信号がＡ／Ｄ変換器によってＡ／Ｄ変換された後に、マイクロコンピュータに入力されるように構成されている。
【００２３】
マイクロコンピュータには、プレッシャセンサからの吸気圧信号、吸気温センサ（図示せず）からの吸気温信号、エンジン壁面温度センサ（図示せず）からのエンジン温度信号、燃料温度センサ（図示せず）からの燃料温信号、およびクランク角度センサ（図示せず）からのクランク角度信号等のセンサ信号が入力される。なお、マイクロコンピュータは、クランク角度信号のパルス間隔時間を計測することでエンジン回転速度を検出する。また、スロットルバルブ３のバルブ開度または回転角度を、スロットルボデー４に取り付けられるスロットルポジションセンサ（図示せず）によって検出できるようにしても良い。また、補助空気量制御弁のバルブ開度は、エンジン負荷やエンジンの暖機状態等のエンジンの運転状態に対応して設定される目標アイドル回転速度に、計測したエンジン回転速度が略一致するようにアクチュエータの駆動電流がフィードバック制御される。
【００２４】
エンジンの燃焼室内に吸入空気を送り込むための吸気管は、吸入空気を濾過するエアクリーナ（濾過エレメント：図示せず）を収容保持したエアクリーナケース（図示せず）、このエアクリーナケースよりも下流側に気密的に結合された吸気ダクト１５、この吸気ダクト１５の下流端に気密的に結合されたスロットルボデー４、このスロットルボデー４の下流端に気密的に結合されたアウトレットダクト５、およびこのアウトレットダクト５の下流端に気密的に結合されたインテークパイプ１７等を有している。吸気ダクト１５は、略円筒形状のゴム系の弾性体よりなる接続用ホース（またはエアクリーナアウトレットホースまたはエアインテークホース）である。この吸気ダクト１５内には、エアクリーナで濾過された吸入空気をスロットルボデー４内に送り込むための吸入空気流路１８が形成されている。また、インテークパイプ１７の上流端の外周の鍔状のインシュレータ取付部の外周には、インシュレータ１６が焼き付け等により溶着固定されている。
【００２５】
このインシュレータ１６は、略円筒形状のゴム系の弾性体よりなる。このインシュレータ１６内には、アウトレットダクト５からインテークパイプ１７に吸入空気を送り込むための吸入空気流路１９が形成されている。また、インテークパイプ１７内には、スロットルボデー４から吸気ポート１１に吸入空気を送り込むための吸入空気流路２０が形成されている。また、インテークパイプ１７の上層部（特に天地方向の天側に位置する天壁部）には、エンジンの吸気ポート１１内に最適なタイミングで燃料を噴射するインジェクタ８が取り付けられている。このインジェクタ８の先端部には、エンジンの吸気ポート１１の壁面（例えば底側壁面）または吸気ポート１１を開閉する吸気バルブ１３の背壁面に向けて燃料を噴射する噴射孔が形成されている。なお、本実施例では、内燃機関用吸気絞り装置（アウトレットダクト５の層流生成流路の空気吹出口）よりインテークパイプ１７の吸入空気流路２０を経由して吸気ポート１１に向かう吸入空気が流れる流路近傍に噴射孔が位置するようにインジェクタ８を設置している。
【００２６】
本実施例の内燃機関用吸気絞り装置では、軽量化および低コスト化を目的として、アクセルレバー１、スロットルシャフト２、スロットルバルブ３、スロットルボデー４およびアウトレットダクト５を樹脂化している。特に、スロットルシャフト２の非円筒状のシャフト側嵌合部２１およびスロットルバルブ３の非円筒状のバルブ側嵌合部２２を樹脂化して、スロットルシャフト２のシャフト側嵌合部２１とスロットルバルブ３のバルブ側嵌合部２２との嵌め合い部を、例えばレーザ溶着等の熱溶着を用いて固定している。また、スロットルボデー４の下流端の鍔状ボデー側嵌合部２３およびアウトレットダクト５の上流端の鍔状ダクト側嵌合部２４との嵌め合い部を、例えばレーザ溶着等の熱溶着を用いて固定している。
【００２７】
アクセルレバー１の外周部には、運転者が操作するスロットルレバーまたはスロットルハンドル等のスロットル操作部品に連動する開き側、閉じ側ワイヤーケーブル（図示せず）が巻き付けられる略Ｖ字形状の周溝部２５が設けられている。また、アクセルレバー１の外周部には、開き側、閉じ側ワイヤーケーブルの一端部を取り付けるための開き側、閉じ側取付溝２６が設けられている。また、アクセルレバー１の裏面には、ボス形状の肉厚部２７が設けられている。アクセルレバー１の肉厚部２７は、周囲よりスロットルボデー４のボア壁部の外径面側に突出するように設けられている。その肉厚部２７には、スロットルバルブ３のバルブ全閉時にアクセルブラケット２８の全閉ストッパ２９に当接する全閉ストッパ部、およびスロットルバルブ３のバルブ全開時にアクセルブラケット２８の全開ストッパに当接する全開ストッパ部が樹脂成形にて一体的に形成されている。
【００２８】
スロットルシャフト２は、例えば熱可塑性樹脂等の樹脂材料（耐熱性樹脂：例えばポリブチレンテレフタレート：ＰＢＴ、またはポリフェニレンサルファイド：ＰＰＳ、またはポリアミド樹脂：ＰＡ、またはポリプロピレン：ＰＰ、またはポリエーテルイミド：ＰＥＩ等）により樹脂一体成形されたシャフト側嵌合部２１に、シャフト側嵌合部２１等の樹脂成形部を補強するための金属材料（例えばＳＵＳ３０４等のステンレス鋼）よりなる分割型の金属部材をインサート成形したシャフトである。このシャフト側嵌合部２１は、スロットルバルブ３のバルブ側嵌合部２２をレーザ溶着等の熱溶着方法を用いて固定する非円筒状のバルブ固定部（樹脂シャフト）である。このシャフト側嵌合部２１の外周面には、レーザ溶着の時の溶着強度を高めるための２つの平坦面（２面幅部）が形成されている。なお、２つの平坦面（２面幅部）を除くシャフト側嵌合部２１の外周面は、スロットルシャフト２の中心軸線（軸心・回転中心）を中心とする円弧状の曲率面とされている。また、スロットルシャフト２のシャフト側嵌合部２１の外周に、スロットルバルブ３のバルブ側嵌合部２２を嵌め合わせた後に、スロットルシャフト２のシャフト側嵌合部２１にスロットルバルブ３のバルブ側嵌合部２２を固定ボルトや締結ねじ等のスクリューを用いて締め付け固定しても良い。
【００２９】
分割型の金属部材は、スロットルシャフト２の一端面から他端面に至るまで軸方向全体に配置された中軸棒状の金属シャフト３１、およびこの金属シャフト３１の外周に部分的に円筒状隙間を隔てて嵌め合わされ、金属シャフト３１と同一軸心上に配置された円筒状の金属パイプ（図示せず）等によって構成されている。そして、スロットルシャフト２の金属シャフト３１は、シャフト側嵌合部２１と嵌合する部分が円柱形状の径小部とされている。そして、金属シャフト３１は、シャフト側嵌合部２１より軸方向の他端部の表面部分がスロットルシャフト２の外周面に露出しており、その露出部がスロットルボデー４の第２シャフト摺動孔（図示せず）の内周面に回転自在に支持される第２軸受摺動部を構成する円柱形状の径大部とされている。
【００３０】
また、スロットルシャフト２の金属パイプは、シャフト側嵌合部２１の軸方向の一端部の外周に嵌合し、その嵌合部分がスロットルシャフト２の外周面に露出しており、その露出部がスロットルボデー４の第１シャフト摺動孔（図示せず）の内周面に回転自在に支持される第１軸受摺動部を構成する。ここで、本実施例のスロットルシャフト２は、金属シャフト３１の回転中心軸線が、スロットルボデー４の吸入空気流路４１の中心軸線に対して半径方向の図示下方側に所定の距離だけ偏心した偏心位置に配置されている。そして、スロットルシャフト２の回転中心軸線方向の一端部には、スロットルレバーまたはスロットルハンドル等のスロットル操作部品にワイヤーケーブルを介して機械的に連結されたアクセルレバー１がシャフト側嵌合部２１と同一の樹脂材料により一体的に形成されている。
【００３１】
スロットルバルブ３は、例えば熱可塑性樹脂等の樹脂材料（耐熱性樹脂：例えばポリブチレンテレフタレート：ＰＢＴ、またはポリフェニレンサルファイド：ＰＰＳ、またはポリアミド樹脂：ＰＡ、またはポリプロピレン：ＰＰ、またはポリエーテルイミド：ＰＥＩ等）により一体的に形成された樹脂成形品で、スロットルボデー４内において開閉自在に収容されている。このスロットルバルブ３は、スロットルボデー４のボア壁部（後記するボア内管）の中心軸線方向（吸入空気の平均的な流れの軸線方向）に対して略直交する方向に回転中心軸線を有するバタフライ弁方式の回転弁（バタフライバルブ）で、吸入空気量を最小とする全閉位置から吸入空気量を最大とする全開位置までの回転動作可能範囲内において回転角度（バルブ開度）が変更されることで、エンジンの燃焼室内に吸入される吸入空気量を制御する。このスロットルバルブ３は、エンジンの燃焼室内への吸入空気量を調節するための二輪自動車等の車両のスロットルレバーまたはスロットルハンドル等のスロットル操作部品のスロットル操作量に応じてバルブ開度（回転角度）が変更される。  
【００３２】
このスロットルバルブ３には、スロットルシャフト２のシャフト側嵌合部２１の外周に嵌め合わされて保持固定される非円筒形状のバルブ側嵌合部２２、およびこのバルブ側嵌合部２２に連結されて、バルブ側嵌合部２２の接線方向に延長された円板状部（バルブ本体）３２が一体的に形成されている。スロットルバルブ３のバルブ側嵌合部２２は、スロットルシャフト２のシャフト側嵌合部２１の外周に嵌め合わされた後に、例えばレーザ溶着等の熱溶着を用いて固定されている。このバルブ側嵌合部２２は、スロットルシャフト２のシャフト側嵌合部２１との嵌め合い部の中央部、または少なくとも一端部に、スロットルシャフト２のシャフト側嵌合部２１の外周に圧入固定（締まり嵌め）される絞り部（圧入部）を有している。
【００３３】
そして、バルブ側嵌合部２２内には、軸方向に貫通する小判型の貫通孔（嵌合穴）３３が形成されている。また、バルブ側嵌合部２２の内周面のうちで、スロットルシャフト２のシャフト側嵌合部２１の外周面に形成された２つの平坦面（２面幅部）に対応した部分には、２つの平坦面（２面幅部）が形成されている。これは、スロットルシャフト２のシャフト側嵌合部２１とスロットルバルブ３のバルブ側嵌合部２２との相対回転運動を防止できる。なお、２つの平坦面（２面幅部）を除くバルブ側嵌合部２２の内周面および外周面は、バルブ側嵌合部２２の軸線を中心とする円弧状の曲率面とされている。また、スロットルバルブ３の円板状部３２の片端面または両端面には、バルブ側嵌合部２２の外周部と円板状部３２の外径側端部近傍とを繋ぐように複数の補強用リブ３４が一体的に形成されている。さらに、スロットルバルブ３の円板状部３２の外径側端部には、図４に示したように、スロットルバルブ３のバルブ開度に対する吸入空気の流量特性を非線形とするための略円弧状の凸状部（リブ）３５、３６が一体的に形成されている。
【００３４】
スロットルボデー４は、本発明の吸気管の第１管状体に相当するものであって、例えば熱可塑性樹脂等の樹脂材料（耐熱性樹脂：例えばポリブチレンテレフタレート：ＰＢＴ、またはポリフェニレンサルファイド：ＰＰＳ、またはポリアミド樹脂：ＰＡ、またはポリプロピレン：ＰＰ、またはポリエーテルイミド：ＰＥＩ等）により樹脂一体成形（樹脂化）された樹脂成形品であって、スロットルシャフト２およびスロットルバルブ３を回転自在に収容保持する装置（ハウジング）である。このスロットルボデー４の円管状ボア壁部内には、エンジンの燃焼室内に吸入空気を送るための吸入空気流路４１が形成されている。この吸入空気流路４１は、図１に示したように、内部を中心軸線方向に吸入空気が流れる断面円形状の吸気通路であって、エアクリーナから吸気ダクト１５の吸入空気流路１８を介して吸入空気を吸い込むための空気入口部（上流側開口部）、およびアウトレットダクト５を介してエンジンの吸気ポート１１に吸入空気を流入させるための空気出口部（下流側開口部）を有している。
【００３５】
ここで、スロットルボデー４のブラケット取付用台座４２には、例えば冷間圧延鋼板（ＳＰＣＣ）等の金属板をプレス成形する等して所定の形状に一体的に形成されたアクセルブラケット２８を、締結ねじ等のスクリュー４３を用いて締め付け固定している。また、アクセルブラケット２８には、開弁側、閉弁側ワイヤーケーブルを往復方向に移動自在に保持するための爪状部４４が一体的に設けられている。なお、アクセルブラケット２８には、スロットルバルブ３のバルブ全閉時にアクセルレバー１の全閉ストッパ部（図示せず）が直接的または間接的に当接する平板状の全閉ストッパ２９、およびスロットルバルブ３のバルブ全開時にアクセルレバー１の全開ストッパ部（図示せず）が直接的または間接的に当接する平板状の全開ストッパ（図示せず）が一体的に設けられている。
【００３６】
本実施例のスロットルボデー４のボア壁部は、スロットルバルブ３の回転中心軸線よりも吸入空気の流れ方向の上流側が略円筒形状のボア内管（またはボア外管）４５のみで構成されている。そのボア内管（またはボア外管）４５の上流端には、吸気ダクト１５の下流端をクランプ、取付金具または取付バンド等の締め付け具を用いて締め付け固定するための円筒状の吸気ダクト取付部４６が一体的に形成されている。なお、吸気ダクト１５の下流端の内周は、吸気ダクト取付部４６の外周に嵌め合わされて気密的に結合されている。また、本実施例のスロットルボデー４のボア壁部は、スロットルバルブ３の回転中心軸線よりも吸入空気の流れ方向の下流側が、略円錐台筒形状のボア内管（ボア内径を形成する内径側円筒部）５１の半径方向の外径側に、略円筒形状のボア外管（スロットルボデー４のボア壁部の外郭を形成する外径側円筒部）５２を配置した部分二重管構造に形成されている。
【００３７】
また、ボア内管５１内には、エンジンの燃焼室内に連通する上記の吸入空気流路４１が形成されており、その吸入空気流路４１内には、スロットルシャフト２のシャフト側嵌合部２１とスロットルバルブ３全体が回転自在に組み込まれている。ここで、ボア内管５１は、ボア外管５２の内周部より図示左方向に所定の傾斜角度で傾斜するように略円錐台筒形状に形成されている。また、ボア内管５１のボア内径面には、吸入空気の流れ方向の下流側に向かって徐々に縮径する円錐面５３が形成されている。この円錐面５３は、スロットルバルブ３の円板状部の外径側端部がメカニカルタッチ（直接的に接触）すると、これ以上のスロットルバルブ３の全閉方向の回転動作を規制することが可能なバルブ係止部を構成する。そのボア外管５２の下流端には、アウトレットダクト５の上流端の鍔状ダクト側嵌合部２４を、例えばレーザ溶着等の熱溶着を用いて結合するための鍔状ボデー側嵌合部２３が一体的に形成されている。この鍔状ボデー側嵌合部２３は、鍔状ダクト側嵌合部２４の外周に嵌め合わされるボデー側円筒状部２３ａと、このボデー側円筒状部２３ａの下流端の外周面より半径方向の外側に延長された円環状のボデー側円環状部（鍔状のフランジ部）２３ｂとからなる。
【００３８】
また、スロットルボデー４は、ボア内管５１とボア外管５２との間に、吸入空気流路４１に対して並列的にエンジンの燃焼室内に連通する円筒状空間５４を有している。なお、ボア内管５１は、円筒状空間５４と吸入空気流路４１とを区画する円筒状隔壁を構成している。その円筒状空間５４は、吸入空気流路４１の周囲を取り囲むように吸入空気流路４１に対して並列的に設けられて、スロットルボデー４のボア壁部の下流端のみで開口する略環状凹部を構成している。また、円筒状空間５４の上流端を周方向の全周に渡って隔壁５５で仕切ることで、スロットルボデー４のボア壁部の、スロットルバルブ３の回転中心軸線よりも下流側を部分二重構造としている。
【００３９】
アウトレットダクト５は、本発明の吸気管の第２管状体に相当するものであって、例えば熱可塑性樹脂等の樹脂材料（耐熱性樹脂：例えばポリブチレンテレフタレート：ＰＢＴ、またはポリフェニレンサルファイド：ＰＰＳ、またはポリアミド樹脂：ＰＡ、またはポリプロピレン：ＰＰ、またはポリエーテルイミド：ＰＥＩ等）により樹脂一体成形（樹脂化）された樹脂成形品であって、スロットルボデー４に対してスロットルボデー４のボア外管５２の管周方向に取付角度可変としたハウジングである。このアウトレットダクト５は、スロットルバルブ３の弁開度または回転角度が大きい高開度時にのみ吸入空気が流入する吸入空気流路６１とスロットルバルブ３の弁開度または回転角度が小さい低開度時に吸入空気が流入する層流生成流路６２とに略円管状の隔壁（以下ボア内管と言う）６３で仕切ることで二重管構造に形成している。すなわち、アウトレットダクト５を、略円管形状のボア内管６３の半径方向の外径側に、所定の環状隙間を隔てて円管状のボア外管６４を配置した二重管構造に形成している。なお、スロットルボデー４のボア内管５１の下流端とアウトレットダクト５のボア内管６３の上流端との間には、スロットルボデー４のボア内管５１内に形成される吸入空気流路４１の下流端の壁面側部（円環状空気出口部）とアウトレットダクト５のボア内管６３の外周とボア外管６４の内周との間に形成される層流生成流路６２の空気入口部（略円環状の空気取入口７３）とを連通する円筒状の連通路６５が形成されている。
【００４０】
層流生成流路６２は、例えばスロットルバルブ３のバルブ開度（回転角度）が小さい低開度の時であっても、エンジンの吸気ポート１１に流入する吸入空気の流速および方向性を確保し、エンジンの燃焼室内にて混合気の燃焼を促進させるための縦方向の渦流（タンブル流）を発生させる目的で、比較的に流速が速く、しかも吸気ポート１１の壁面（例えば天井側壁面）または吸気バルブ１３の片側に局所的に吸入空気を吹き出すような偏流または層流状の流れを生成するための渦流生成流路を構成している。また、層流生成流路６２の上流端には、スロットルボデー４の吸入空気流路４１から内部に吸入空気を取り入れるための略円環状の空気取入口７３が形成されている。この空気取入口７３は、空気吹出口７４よりも広い開口断面積を有している。また、空気取入口７３には、スロットルボデー４の吸入空気流路４１から連通路６５を経由して層流生成流路６２内に吸入空気が流入する際の曲がり圧力損失を低減するという目的で、テーパ形状またはＲ形状の面取りが施された面取り部が設けられている。また、空気取入口７３は、スロットルボデー４の円筒状空間５４の空気出口部に連通すると共に、上記の連通路６５を介してスロットルボデー４の吸入空気流路４１の空気出口部に連通している。なお、層流生成流路６２の流路径、空気取入口や空気吹出口の開口断面積は、エンジンの仕様（例えば排気量等）または要求に応じて任意に変更しても良い。
【００４１】
また、層流生成流路６２の下流端には、吸気ポート１１の壁面（例えば天井側壁面）または吸気バルブ１３の片側に向かって吸入空気を吹き出すための略円弧形状の空気吹出口７４が形成されている。また、本実施例の層流生成流路６２の下流端は、略円環板状の仕切り板６６で仕切られており、その仕切り板６６の一部で、すなわち、アウトレットダクト５の中心軸線方向に対して垂直方向の上層側（図１、図２（ａ）、図４および図５（ａ）、（ｃ）において図示上方側）に偏心した位置で１箇所のみ上記の空気吹出口７４が開口している。なお、本実施例では、ボア内管６３の図示下部側に対してボア内管６３の図示上部側の方が吸入空気の流れの軸線方向の寸法が長くなるように形成されていることから、仕切り板６６の下層部側（図示下部側）に対して上層部側（図示上部側）の方が、吸入空気の流れ方向の下流側に位置するように傾斜している。すなわち、層流生成流路６２は、その層流生成流路６２の途中から空気吹出口７４に向かって流路断面積が次第に小さくなるように設けられている。
【００４２】
ここで、アウトレットダクト５のボア外管６４の下流端には、インシュレータ１６の上流端をクランプ、取付金具または取付バンド等の締め付け具を用いて締め付け固定するための円筒状のインシュレータ取付部６７が一体的に形成されている。なお、インシュレータ１６の上流端の内周は、インシュレータ取付部６７の外周に嵌め合わされて気密的に結合されている。また、アウトレットダクト５のボア外管６４の上流端には、スロットルボデー４のボア壁部（ボア内管）５１の下流端の鍔状ボデー側嵌合部２３に、例えばレーザ溶着等の熱溶着を用いて結合される鍔状ダクト側嵌合部２４が一体的に形成されている。この鍔状ダクト側嵌合部２４は、鍔状ボデー側嵌合部２３のボデー側円筒状部２３ａの内周に嵌め合わされるダクト側円筒状部２４ａと、このダクト側円筒状部２４ａの外周面より半径方向の外側に延長されたダクト側円環状部（鍔状のフランジ部）２４ｂとからなる。このダクト側円環状部２４ｂは、ボデー側円環状部２３ｂに対向するように配置されてボデー側円環状部２３ｂの端面に密着している。なお、ダクト側円筒状部２４ａの外周には、鍔状ボデー側嵌合部２３と鍔状ダクト側嵌合部２４との間を気密化（密封化）するためのシール材としてのＯリング６８が装着されるＯリング溝６９が形成されている。
【００４３】
ここで、本実施例のスロットルボデー４のボア壁部の下流端の外壁面、つまりボア外管５２の外壁面には、ゴムホースを介してプレッシャセンサ（いずれも図示せず）が取り付けられている。このプレッシャセンサは、ゴムホースの一端部が気密的に嵌め合わされる圧力導入管７１内に形成される圧力導入通路（圧力センシングポート）７から導入される円筒状空間５４内の空気圧力を検出する圧力センサである。なお、圧力導入管７１は、ボア外管５２の図示上端側（天井側）の外壁面より図示上方に延びるように設けられており、また、圧力導入通路７は、円筒状空間５４の例えば天井側壁面で圧力導入口が開口している。プレッシャセンサは、圧力導入通路７を経て導入されたスロットルボデー４の円筒状空間５４内の空気圧力を電気信号に変換して出力するピエゾ抵抗素子等よりなる半導体圧力センサ、および半導体圧力センサより出力される電気信号を増幅する増幅回路等の圧力検出部を有し、特に吸気管内の圧力変化を電圧変化に置き換えて検出する吸気管圧力（吸気圧）センサである。
【００４４】
また、本実施例のスロットルボデー４のボア壁部の下流端、つまりボア外管５２の外壁面には、連通管を介して補助空気量制御弁のバルブハウジング（図示せず）が取り付けられている。この補助空気量制御弁は、バルブハウジング、連結管およびこの連結管の一端部が気密的に嵌め合わされる補助空気導入管７２内に形成されるバイパス流路（補助空気通路）９内を流れる補助空気量を調節するバルブ（弁体）と、このバルブを開弁方向に駆動するステッピングモータ等のアクチュエータ（弁体駆動手段）と、バルブを閉弁方向に付勢するスプリング等の弁体付勢手段（いずれも図示せず）とから構成されている。ここで、本実施例の補助空気量制御弁のバルブハウジングには、バルブが微小間隙を持ってシートする枠状のシート壁部（図示せず）が設けられ、このシート壁部内には、弁孔（図示せず）が形成されている。すなわち、本実施例の補助空気量制御弁は、スロットルバルブ３がバルブ全閉時、つまりアイドル運転時だけでなく、エンジンの全運転領域に渡って若干の漏れ空気の存在するタイプのアイドル回転速度制御弁である。
【００４５】
なお、補助空気導入管７２は、ボア外管５２の図示下端側（底側）の外壁面より図示下方に延びるように設けられている。また、バイパス流路９は、スロットルバルブ３よりも上流側の吸気管（例えば吸気ダクト１５）に形成された空気入口部から、スロットルバルブ３を迂回して、スロットルボデー４の円筒状空間５４の壁面に形成される空気出口部に至る吸入空気流路である。また、バイパス流路９は、円筒状空間５４の例えば底側壁面で空気出口部（空気導入口）が開口している。また、バイパス流路９の流路径は、エンジンの仕様（例えば排気量等）または要求に応じて任意に変更しても良い。本実施例のバイパス流路９の流路径は、圧力導入通路７の流路径よりも大きくしてある。
【００４６】
そして、補助空気量制御弁は、バイパス流路９の流路面積を変化させ、バイパス流路９を経由してエンジンの燃焼室内に供給される吸入空気量を可変に制御することで、エンジンのアイドル運転時、すなわち、スロットルバルブ３のバルブ全閉時にエンジン負荷やエンジンの暖機状態に応じてアイドル回転速度を制御するアイドルスピードコントロールバルブ（ＩＳＣＶ）を構成する。例えばエンジン負荷が増大した場合でも、補助空気量制御弁は、アクチュエータへの駆動電流に応じてバルブをリフトさせてバイパス流路９の流路面積を増大させることで、エンジンの燃焼室内に供給される吸入空気量を増加させ、エンジンストールを防止することができる。
【００４７】
［実施例１の組付方法］
次に、本実施例のスロットルボデー４とアウトレットダクト５との組付方法を図４および図５に基づいて簡単に説明する。
【００４８】
ここで、スロットルボデー４の取付角度は、スロットルレバーまたはスロットルハンドル等のスロットル操作部品と、スロットルシャフト２の一端部に一体化されたアクセルレバー１とをワイヤーケーブルを介して機械的に連結する必要が有ることから、また、プレッシャセンサとスロットルボデー４の圧力導入管７１とをゴムホースを介して連結する必要が有ることから、二輪自動車等の車両の進行方向に対してスロットルボデー４の取付角度は車両毎に予め決められている。しかし、同一の車種であっても、エンジンの仕様（例えば排気量等）または要求を種々変更したりして複数のバリエーションを持たせる要求がある。例えばエンジンでは、燃焼室内で混合気が素早く、しかも良好な燃焼を促進させるために、各種の渦流を作り出すようにしている。それは、吸気ポート１１から燃焼室内に流入する混合気が縦方向に渦流を生起するタンブル流であり、また、吸気ポート１１から燃焼室内に流入する混合気が横方向に渦流を生起するスワール流である。さらに、インジェクタ８の噴射孔より噴射される燃料噴霧に、比較的に流速の速い吸入空気流を当てて燃料噴霧の微粒化を促進して、燃焼室内での燃焼性能を向上することも考えられる。
【００４９】
そこで、本実施例では、スロットルボデー４とアウトレットダクト５とを２分割して、エンジンの仕様（例えば排気量等）または要求に合わせて、スロットルボデー４に対するアウトレットダクト５の取付角度を、スロットルボデー４のボア壁部のボア外管５２の管周方向に可変としている。この実施例では、図１に矢印で示したように、アウトレットダクト５の層流生成流路６２の空気吹出口７４より燃焼室内に向けて吹き出される吸入空気を、インテークパイプ１７の吸入空気流路２０の天壁面側、シリンダヘッド１０の吸気ポート１１の天壁面側に沿って流し、ピストンの上昇によってうまく混合して燃焼を促進する効果の有るタンブル流を燃焼室内で発生させることが可能な取付角度で、スロットルボデー４の下流端の鍔状ボデー側嵌合部２３とアウトレットダクト５の上流端の鍔状ダクト側嵌合部２４とを、レーザ溶着等の熱溶着を用いて結合する方法を説明する。
【００５０】
図４に示したように、スロットルシャフト２およびスロットルバルブ３等のバルブアッセンブリを組み込んだスロットルボデー４の下流端の鍔状ボデー側嵌合部２３のボデー側円筒状部２３ａの内周に、Ｏリング溝６９内にＯリング６８を装着したアウトレットダクト５の上流端の鍔状ダクト側嵌合部２４のダクト側円筒状部２４ａを嵌め込む。このとき、アウトレットダクト５に設けられる層流生成流路６２の空気吹出口７４が、アウトレットダクト５の上層側、つまりスロットルボデー４の圧力導入管７１の突出側に位置するようにスロットルボデー４の下流端の鍔状ボデー側嵌合部２３とアウトレットダクト５の上流端の鍔状ダクト側嵌合部２４とを嵌め合わせる。また、スロットルボデー４のボデー側円環状部２３ｂの下流側円環状端面とアウトレットダクト５のダクト側円環状部２４ｂの上流側円環状端面とを接触させておく。
【００５１】
そして、このような嵌合状態のスロットルボデー４およびアウトレットダクト５を、図示しないレーザ溶着装置の治具に組み付ける。この治具は、例えば円周方向に移動が可能に構成され、治具の側方に、レーザ装置が設置されている。レーザ装置は、レーザ発振器から出力されたレーザ光をレンズ等で集光し、アウトレットダクト５のダクト側円環状部２４ｂの下流側円環状端面に照射する。なお、レーザ装置のレーザ発振器としては、レーザ出力が２０Ｗ〜３０Ｗ程度の半導体レーザ発振器が使用される。また、レーザ発振器として、パルスＹＡＧ（イットリウム・アルミニウム・ガーネット）レーザや、ＣＯ２レーザ等のその他のレーザ発振器を用いても良い。また、治具の移動速度は、約１０ｍｍ／ｓｅｃ程度に設定される。
【００５２】
レーザ装置のレーザ発振器からアウトレットダクト５のダクト側円環状部２４ｂの下流側円環状端面にレーザ光を照射しながら、治具をアウトレットダクト５の管周方向に移動させると共に、ダクト側円環状部２４ｂの半径方向に往復揺動させて、レーザ照射を行う。このとき、レーザ光は、アウトレットダクト５のダクト側円環状部２４ｂに入射し、その部分を透過して、スロットルボデー４のボデー側円環状部２３ｂの下流側円環状端面に達し、吸収される。このレーザ照射によって、ボデー側円環状部２３ｂの下流側円環状端面が溶融し、その熱により、ダクト側円環状部２４ｂの上流側円環状端面が溶融し、ボデー側円環状部２３ｂの下流側円環状端面とダクト側円環状部２４ｂの上流側円環状端面とが熱溶着される。なお、ボデー側円筒状部２３ａとダクト側円筒状部２４ａとを、レーザ溶着等の熱溶着を用いて結合しても良い。
【００５３】
［実施例１の作用］
次に、本実施例の内燃機関用吸気絞り装置の作用を図１ないし図５に基づいて簡単に説明する。
【００５４】
運転者が二輪自動車等の車両のスロットルレバーまたはスロットルハンドル等のスロットル操作部品を操作すると、このスロットル操作部品にワイヤーケーブルを介して機械的に連結されたアクセルレバー１が、リターンスプリング６の付勢力に抗して、スロットル操作量に対応した所定の回転角度だけ回転する。これにより、アクセルレバー１と一体的に回転するスロットルシャフト２が所定の回転角度だけ回転し、スロットルボデー４の吸入空気流路４１内においてスロットルバルブ３が所定のバルブ開度（回転角度）だけ回転する。したがって、スロットルボデー４の吸入空気流路４１がバルブ開度だけ開かれるので、エンジン回転速度がスロットル操作量に対応した速度に変更される。
【００５５】
一方、フューエルタンクから汲み上げられた燃料は、フューエルポンプ、フューエルフィルタ、燃料配管を通ってインジェクタ８の内部に供給されている。そして、インジェクタ８は、ＥＣＵから噴射信号を受けると、インジェクタ８の先端部の噴射孔からインテークパイプ１７の吸入空気流路２０内およびシリンダヘッド１０の吸気ポート１１内にタイミング良く噴射される。なお、本実施例では、エンジンの吸気行程と重なるように、あるいはエンジンの吸気行程前に燃料噴霧の噴射を終了するように燃料噴射時期および燃料噴射量（燃料噴射期間）を制御している。そして、インジェクタ８の噴射孔よりエンジンの吸気ポート１１の壁面（例えば底側壁面）またはエンジンの吸気バルブ１３の背壁面に向かって噴射される燃料の噴射時期（噴射タイミング）や燃料噴射量（燃料噴射期間）は、ＥＣＵによって決定される。例えばプレッシャセンサによってエンジンの吸気管圧力を検出して間接的に吸入空気量を演算し、この演算した吸入空気量と計測したエンジン回転速度とから基本噴射期間を計算し、これに各種センサからのセンサ信号による補正を加えて指令噴射期間を決定している。なお、吸気管圧力とエンジン回転速度とから基本噴射期間を直接計算しても良い。
【００５６】
エンジンの吸気行程では、吸気バルブ１３が開き、排気バルブが閉じている時に、ピストンが上死点から下死点に向かって下降運動すると、燃焼室内に負圧が発生し、混合気が燃焼室内に吸入される。このとき、エアクリーナで濾過された吸入空気は、吸気ダクト１５の吸入空気流路１８を経由してスロットルボデー４の吸入空気流路４１内に流入する。そして、スロットルバルブ３のバルブ開度に応じて、スロットルボデー４の吸入空気流路４１の空気出口部からアウトレットダクト５の吸入空気流路６１内に流入する吸入空気と、連通路６５、空気取入口７３を経由して層流生成流路６２内に流入する吸入空気とに分けられる。そして、吸入空気流路６１内に流入した吸入空気は、インシュレータ１６の吸入空気流路１９、インテークパイプ１７の吸入空気流路２０、シリンダヘッド１０の吸気ポート１１を経て燃焼室内に吸入される。なお、本実施例では、エンジンの燃焼室内に吸入される吸入空気量を、プレッシャセンサにより検出された吸気管圧力と計測したエンジン回転速度とをＥＣＵで演算することにより、間接的に計測している。すなわち、吸入空気量検出装置として、吸気管圧力方式（スピードデンシティ方式）を採用している。
【００５７】
一方、層流生成流路６２内に流入した吸入空気は、仕切り板６６の下層部側（図示下部側）に対して上層部側（図示上部側）の方が、吸入空気の流れ方向の下流側に位置するように傾斜しており、すなわち、層流生成流路６２は、その層流生成流路６２の途中から空気吹出口７４に向かって流路断面積が次第に小さくなるように設けられている。これにより、層流生成流路６２の下層部側に流入した吸入空気が、上層部側に設けられる空気吹出口７４に抵抗無く流れ込み易くなっている。また、層流生成流路６２内に流入した吸入空気は、層流生成流路６２の途中から空気吹出口７４に向かって収束して、空気吹出口７４から吹き出す際には、比較的に流速の速い流れとなる。
【００５８】
これにより、インテークパイプ１７の吸入空気流路２０およびシリンダヘッド１０の吸気ポート１１内において、吸入空気流路２０および吸気ポート１１の上層部（天井側壁面）に沿うように、しかもエンジンの吸気ポート１１の壁面（例えば天井側壁面）または吸気バルブ１３の片側に向かう比較的に流速の速い空気流を作り出すことができる。また、吸気バルブ１３の片側に向かう比較的に流速の速い空気流にインジェクタ８の噴射孔より噴射される燃料噴霧を当てるようにしている。これにより、吸気バルブ１３の開弁時に、層流生成流路６２の空気吹出口７４からインテークパイプ１７の吸入空気流路２０およびシリンダヘッド１０の吸気ポート１１内に流入する吸入空気の流れを利用して（エアアシスト機能）インジェクタ８の噴射孔より噴射された燃料噴霧の微粒化を促進させることができる。そして、吸気バルブ１３の開弁時に、吸入空気流路２０および吸気ポート１１の上層部（天井側壁面）、吸気バルブ１３の片側を経由して、燃焼室内に、比較的に流速の速い混合気を入れることができるので、縦方向の渦流（タンブル流）を生成できる。したがって、エンジンの燃焼室内において混合気の燃焼を促進させるための渦流を積極的に生成できるので、通常では燃え難い薄い空燃比で燃焼（希薄燃焼）させることができ、エンジン性能を落とさずに燃費を改善できる。
【００５９】
吸気バルブ１３が閉じられ、ピストンが上昇する圧縮行程では、混合気の中で霧化されている燃料が気化し、空気と混ざって燃え易いガスになりながら、燃焼室内で圧縮されていく。そして、ピストンが上死点に達して温度、圧力が共に高くなったところで、スパークプラグにより電気火花を飛ばして点火すると、混合気は急速に燃焼し、圧力の高まった燃焼ガスによってピストンが押し下げられ、クランクシャフトが回される（爆発行程）。そして、ピストンが下死点に達したところで、排気バルブが開かれ、燃焼ガスが排気ポートから噴出すると共に、ピストンが上昇して燃焼室内に残った燃焼ガスを追い出す（排気行程）。本実施例では、以上のような吸気、圧縮、爆発および排気の４行程を、クランクシャフトが２回転（７２０°ＣＡ）する間に実施する。
【００６０】
逆に、運転者がスロットルレバーまたはスロットルハンドル等のスロットル操作部品を戻すと、リターンスプリング６の付勢力によってアクセルレバー１、スロットルバルブ３およびスロットルシャフト２が全閉方向に戻されて、スロットルボデー４の吸入空気流路４１がスロットルバルブ３によって閉じられる。このようなスロットルバルブ３のバルブ全閉時においても、スロットルバルブ３を迂回するバイパス流路９を経由してエンジンの燃焼室内に吸入空気が流入するように構成されているので、エンジン回転速度がアイドル回転速度となる。
【００６１】
［実施例１の効果］
以上のように、本実施例の内燃機関用吸気絞り装置においては、図９に示した比較例１に記載のスロットルボデーを、スロットルバルブ３のバルブ開度に応じて流路開口面積が変更される吸入空気流路４１を形成したスロットルボデー４と、エンジンの燃焼室内にタンブル流を生成する層流生成流路６２を有するアウトレットダクト５とに２分割している。ここで、スロットルボデー４は、スロットルバルブ３を開閉自在に収容する略円管状の第１管状体を構成する本体部品である。また、アウトレットダクト５は、空気吹出口７４よりも広い円環状の開口断面を有する空気取入口７３を有し、１箇所の空気吹出口７４より比較的に流速の速い空気流を吹き出すことが可能な略円管状の第２管状体を構成する付属部品である。
【００６２】
そして、スロットルボデー４に対するアウトレットダクト５の取付角度を、スロットルボデー４の管周方向に連続的に可変とすることにより、車両進行方向に対するスロットルボデー４の位置関係に車両構造上制約があったとしても、エンジンの仕様（例えば排気量等）または要求（エンジンの燃焼室内の燃焼状態や、排気ガス浄化効率を改善する目的で、例えばエンジンの燃焼室内にタンブル流またはスワール流を生成したり、インジェクタ８の噴射孔より噴射される燃料噴霧の微粒化を促進したりする等）に対応して任意に選択可能な吸気管のレイアウトをスロットルボデー４またはアウトレットダクト５の形状変更（設計変更）を伴うことなく構成することができる。これによって、車両進行方向に対するスロットルボデー４の取付位置を変更することなく、比較的に流速の速い空気流を３次元的に曲がる吸気ポート１１の目標位置（本例では吸気ポート１１の天井側壁面）に吹き出すことにより、燃焼室内において所望の渦流を生成することができるので、設計自由度の高い吸気管のレイアウトを備える内燃機関用吸気絞り装置を提供することができる。
【００６３】
また、本実施例の内燃機関用吸気絞り装置においては、層流生成流路６２の空気吹出口７４からエンジンの吸気ポート１１の天井側壁面および吸気バルブ１３の片側に向かって吹き出される比較的に流速の速い吸入空気の流路近傍に、エンジンの吸気ポート１１に向けて燃料噴霧を噴射する噴射孔を有するインジェクタ８をインテークパイプ１７の上層部（インジェクタ取付部）に設置している。これにより、吸入空気をインジェクタ８の噴射孔付近に導入することができるので、インジェクタ８より噴射される燃料噴霧の微粒化を促進させるエアアシスト機能を、インジェクタ８の噴射孔の形状変更を伴うことなく、簡易な構造で実現することができる。
【００６４】
また、本実施例の内燃機関用吸気絞り装置においては、エンジンの燃焼室内に吸入空気を送り込むための吸気管を構成するスロットルボデー４の断面形状を、スロットルバルブ３の回転中心軸線よりも吸入空気の流れ方向の下流側が、ボア内管５１の半径方向の外径側にボア外管５２を配置した部分二重管構造としている。そして、スロットルボデー４のボア内管５１とボア外管５２との間に、スロットルバルブ３を開閉自在に収容する吸入空気流路４１に対して並列的にエンジンの燃焼室内に連通する円筒状空間５４を形成している。なお、スロットルボデー４のボア外管５２の図示上端側（天井側）の外壁面から、図示上方に延びるように圧力導入管７１が一体的に形成されている。また、ボア外管５２の図示下端側（底側）の外壁面から、図示下方に延びるように補助空気導入管７２が一体的に形成されている。
【００６５】
そして、本実施例では、円筒状空間５４の図示下端部の壁面（例えば底側壁面）でバイパス流路９の空気導入口が開口し、このバイパス流路９の空気導入口より最も遠い箇所、つまり円筒状空間５４の図示上端部の壁面（例えば天井側壁面）で圧力導入通路７の圧力導入口が開口しているので、スロットルバルブ３のバルブ開度が大きい開度であってもスロットルバルブ３の下流側の気流の乱れの影響を受け難く、且つスロットルバルブ３がバルブ全閉時（アイドル運転時）であってもバイパス流路９の空気出口部の下流側の気流の乱れの影響を受け難い箇所に圧力導入通路７の圧力導入口を形成している。これによって、スロットルバルブ３のバルブ開度の大小に応じて生起する気流の乱れの影響を受けず、圧力変動が限りなく少ない円筒状空間５４、すなわち、スロットルバルブ３のバルブ開度の変更に伴って変化する圧力変動の影響を受け難い円筒状空間５４から圧力導入通路７を介して空気圧力をプレッシャセンサに導入できる。したがって、吸気管内の空気圧力（吸気管圧力）の検出精度を向上することができる。
【００６６】
また、補助空気量制御弁のバイパス流路９の空気導入口は、スロットルバルブ３の下流側の乱流状態に成り易い箇所と異なる層流状態の円筒状空間５４、つまりスロットルバルブ３のバルブ開度の大小に応じて生起する気流の乱れの影響を受けない円筒状空間５４の壁面で開口している。これによって、補助空気量制御弁のバルブ（弁体）が、バイパス流路９を形成するバルブハウジングに設けられる枠状のシール壁部との間に微小間隙を持ってシートするタイプのものであっても、バイパス流路９の空気導入口から円筒状空間５４内に吸入空気が流入する際に吸入空気流路４１内を流れる吸入空気と混ざり合って空気導入口付近で不規則な流れ（乱流）が生起することを防止できる。あるいは、補助空気量制御弁のバイパス流路９の空気導入口がスロットルボデー４の下流端のボア外管５２の内壁面で略直角的に交わるように開口することにより、スロットルバルブ３のバルブ開度が小さい開度時に、吸入空気流路４１の壁面に沿って流れる吸入空気が空気導入口付近で不規則な流れ（乱流）が生起することも防止できるので、吸気音の発生を防止することができる。
【００６７】
さらに、スロットルバルブ３がバルブ全閉時であっても、スロットルバルブ３よりも上流側の吸気管（例えば吸気ダクト１５）に形成された空気入口部から、スロットルバルブ３を迂回して、スロットルボデー４の円筒状空間５４の壁面に形成される空気出口部（空気導入口）に至るバイパス流路９を経由し、更にバイパス流路９の空気導入口から円筒状空間５４、アウトレットダクト５の層流生成流路６２、インテークパイプ１７の吸入空気流路２０、エンジンのシリンダヘッド１０に形成される吸気ポート１１を経由してエンジンの燃焼室内に吸入空気を導入することができるので、アイドル運転時の吸入空気量の不足に伴うエンジンの異常燃焼や異常振動を防止でき、且つエンジンストールを回避できる。
【実施例２】
【００６８】
図６ないし図８は本発明の実施例２を示したもので、図６は二輪自動車用エンジンの吸気系統を示した図で、図７および図８はアウトレットダクトを示した図である。
【００６９】
本実施例のスロットルボデー４の下流端の鍔状ボデー側嵌合部２３のボデー側円環状部２３ｂには、等間隔（例えば３０°間隔）で、ボデー側円環状部２３ｂの上流側円環状端面と下流側円環状端面とを連通する複数の貫通孔９１を設けている。また、アウトレットダクト５の上流端の鍔状ダクト側嵌合部２４のダクト側円環状部２４ｂには、等間隔（例えば３０°間隔）で、貫通孔９１に弾性変形を用いて嵌め込まれる複数の突起部（スナップフィット）９２を設けている。これにより、スロットルボデー４に対するアウトレットダクト５の取付角度を、スロットルボデー４の管周方向に所定の角度（例えば３０°）毎に段階的に可変とすることができる。これは、突起部９２の設置箇所にネジ孔を形成して、締結ボルトやワッシャ等の締結具を用いて、ボデー側円環状部２３ｂとダクト側円環状部２４ｂとを締め付け固定する場合も同様である。なお、ボデー側円環状部２３ｂの下流側円環状端面とダクト側円環状部２４ｂの上流側円環状端面との間に、鍔状ボデー側嵌合部２３と鍔状ダクト側嵌合部２４との間からの吸入空気の漏れを防止するＯリング等のシール材を装着しても良い。また、実施例１のレーザ溶着等の熱溶着法を追加しても良い。  
【００７０】
［変形例］
本実施例では、スロットルバルブ３を全開方向または全閉方向に駆動するバルブ駆動手段として、二輪自動車のスロットルレバーまたはスロットルハンドルの操作量（スロットル操作量）をワイヤーケーブルを介して機械的にスロットルシャフト２の一端部に一体化されたアクセルレバー（回転体）に伝えて、スロットルバルブ３を二輪自動車のスロットルレバーまたはスロットルハンドルの操作量（スロットル操作量）に対応した所定の弁開度または所定の回転角度に回転動作させるようにしたバルブ駆動手段を採用しているが、駆動モータ等のアクチュエータの回転出力をスロットルシャフト２の一端部に一体化されたバルブギヤ（回転体）に伝達して、スロットル操作量に対応した所定の弁開度または所定の回転角度に回転動作させるようにしたバルブ駆動手段を採用しても良い。
【００７１】
本実施例では、本発明の内燃機関用吸気絞り装置を、二輪自動車のスロットルレバーまたはスロットルハンドルの操作量（スロットル操作量）に対応してスロットルバルブ３の弁開度または回転角度を変更するようにした二輪自動車の内燃機関用吸気絞り装置に適用した例を説明したが、本発明の内燃機関用吸気絞り装置を、アクセルペダルの踏み込み量（アクセル操作量）に対応してスロットルバルブ３の弁開度または回転角度を変更するようにした四輪自動車の内燃機関用吸気絞り装置に適用しても良い。
【００７２】
また、アクセルレバー１、スロットルシャフト２、スロットルバルブ３、スロットルボデー４およびアウトレットダクト５を樹脂一体成形する樹脂材料として、加熱されて溶融状態の樹脂材料（例えば熱可塑性樹脂よりなる溶融樹脂）に充填材（例えば低コストなガラス繊維、または炭素繊維、アラミド繊維、ボロン繊維等）または添加材を混合した樹脂系の複合材料（例えばガラス繊維３０％入りのポリブチレンテレフタレート：ＰＢＴＧ３０、またはガラス繊維４０％入りのポリブチレンテレフタレート：ＰＢＴＧ４０）を用いても良い。また、上記の樹脂系の複合材料を、ゲートから樹脂成形金型のキャビティ内に射出することで、樹脂系の複合材料の射出成形によって樹脂スロットルボデーまたは樹脂スロットルバルブまたは樹脂アクセルレバーまたは樹脂スロットルシャフトを製造しても良い。このように樹脂系の複合材料の射出成形によって樹脂一体成形された樹脂成形品は、低コストで、且つ樹脂成形性に優れると共に、機械的性質をはじめ強度、剛性および耐熱性等の性能が向上する。
【００７３】
また、本実施例では、加熱されて溶融状態の溶融材料として樹脂材料（例えば熱可塑性樹脂よりなる溶融樹脂）を用いたが、加熱されて溶融状態の溶融材料として金属材料の溶湯（例えばアルミニウム合金またはマグネシウム合金等の半溶融合金材料の溶湯）を用いても良い。すなわち、アクセルレバー１またはスロットルシャフト２またはスロットルバルブ３またはスロットルボデー４またはアウトレットダクト５のうちのいずれか１つ以上を金属化しても良い。また、スロットルボデー４の下流端にアウトレットダクト５の上流端を締結ボルト等の締結具を用いて締め付け固定しても良い。
【００７４】
本実施例では、本発明の内燃機関用吸気絞り装置を、エンジンの燃焼を促進する縦方向の渦流（タンブル流）の生成が可能となるように構成したが、エンジンの燃焼を促進する横向きの渦流（スワール流）の生成が可能となるように構成しても良い。また、本発明の内燃機関用吸気絞り装置を、エンジンの燃焼を促進するスキッシュ渦の生成が可能となるように構成しても良い。
【００７５】
本実施例では、例えばスロットルバルブ３のバルブ開度が小さい開度の時であっても、内燃機関の吸気ポートに流入する吸入空気の流速および方向性を確保し、エンジンの燃焼室内にて混合気の燃焼を促進させるためのタンブル流を発生させる目的で、比較的に流速が速く、しかも吸気ポート１１の壁面または吸気バルブ１３の片側に局所的に吸入空気を吹き出すような偏流または層流状の流れを生成するための層流生成流路６２を、アウトレットダクト５のボア内管６３の外周とボア外管６４の内周との間に形成しているが、上記の層流生成流路６２を、スロットルボデー４のボア内管５１とボア外管５２との間に形成しても良い。この場合には、円筒状空間５４の下流端と層流生成流路６２の上流端との間に連通路６５を設ける。
【００７６】
また、上記の層流生成流路６２の代わりに、エンジンの燃焼室内にて混合気の燃焼を促進させるための渦流を発生させず、インジェクタ８の噴射孔より噴射された燃料噴霧の微粒化を促進させる目的で、インジェクタ８の噴射孔近傍に局所的にアシスト空気を吹き出すような偏流または層流状の流れを生成するための層流生成流路を、アウトレットダクト（第２管状体）５に設けても良い。また、上記の層流生成流路６２の代わりに、エンジンの燃焼室内にて混合気の燃焼を促進させるための渦流を発生させず、スロットルボデー４の吸入空気流路４１より流入する吸入空気に、比較的に流速の速い気流特性を持たせるか、あるいはインジェクタ８の噴射孔より噴射された燃料噴霧の微粒化を促進させるための気流特性を持たせる気流特性付与流路を、アウトレットダクト（第２管状体）５に設けても良い。
【００７７】
本実施例では、スロットルボデー４のボア外管５２の壁面に、プレッシャセンサの圧力導入通路７を形成する圧力導入管７１、および補助空気量制御弁のバイパス流路９を形成する補助空気導入管７２を一体的に設けたが、アウトレットダクト５のボア外管６４の壁面に、圧力導入管７１または補助空気導入管７２のいずれか一方を一体的に設けても良い。また、圧力導入管７１または補助空気導入管７２のいずれか一方をインテークパイプ１７の壁面に設けても良い。また、プレッシャセンサの圧力導入通路７の圧力導入口と補助空気量制御弁のバイパス流路９の空気出口部との位置関係は、本実施例に限定されるものではないが、望ましくはプレッシャセンサの圧力導入通路７の圧力導入口と補助空気量制御弁のバイパス流路９の空気出口部とを最も離れた位置（ボア外管５２の管周方向に９０〜２７０°程度、望ましくは１８０°程度）に設けることが望ましい。
【００７８】
本実施例では、スロットルボデー４のボア壁部を構成するボア内管５１とボア外管５２との間に、吸入空気流路４１に対して並列的にエンジンの燃焼室内に連通する円筒状空間５４を形成し、この円筒状空間５４に共に連通するプレッシャセンサの圧力導入通路７および補助空気量制御弁のバイパス流路９を、スロットルボデー４の中心軸線を対称面として図示上下に対称的に配置しているが、円筒状空間５４を２つ以上の空間（例えば半円弧筒状空間または略三日月状空間）に仕切る隔壁を設けて、それぞれ独立した空間にプレッシャセンサの圧力導入通路７および補助空気量制御弁のバイパス流路９を連通させるようにしても良い。
【図面の簡単な説明】
【００７９】
【図１】二輪自動車用エンジンの吸気系統を示した部分断面図である（実施例１）。
【図２】（ａ）は内燃機関用吸気絞り装置の主要構成を示した背面図で、（ｂ）は内燃機関用吸気絞り装置の主要構成を示した側面図である（実施例１）。
【図３】（ａ）は内燃機関用吸気絞り装置の主要構成を示した側面図で、（ｂ）は内燃機関用吸気絞り装置の主要構成を示した正面図である（実施例１）。
【図４】図３（ｂ）のＡ−Ａ断面図である（実施例１）。
【図５】（ａ）はアウトレットダクトを示した背面図で、（ｂ）はアウトレットダクトを示した側面図で、（ｃ）は（ａ）のＢ−Ｂ断面図である（実施例１）。
【図６】二輪自動車用エンジンの吸気系統を示した部分断面図である（実施例２）。
【図７】アウトレットダクトを示した背面図である（実施例２）。
【図８】（ａ）は図７のＣ−Ｃ断面図で、（ｂ）は（ａ）のＤ視図である（実施例１）。
【図９】（ａ）は二輪自動車用エンジンの吸気系統を示した部分断面図で、（ｂ）は（ａ）のＥ−Ｅ断面図を示した断面図である（比較例）。
【符号の説明】
【００８０】
２  スロットルシャフト
３  スロットルバルブ
４  スロットルボデー（吸気管の第１管状体）
５  アウトレットダクト（吸気管の第２管状体）
７  圧力導入通路
８  インジェクタ（燃料噴射弁）
９  バイパス流路（補助空気通路）
１０  二輪自動車用エンジンのシリンダヘッド
１１  二輪自動車用エンジンの吸気ポート
１３  二輪自動車用エンジンの吸気バルブ（インテークバルブ）
２３  スロットルボデーの鍔状ボデー側嵌合部
２４  鍔状ダクト側嵌合部
４１  スロットルボデーの吸入空気流路
５１  ボア内管（筒状隔壁）
５２  ボア外管
５４  円筒状空間
６１  アウトレットダクトの吸入空気流路
６２  アウトレットダクトの層流生成流路（渦流生成流路、気流特性付与流路）
６３  ボア内管（隔壁）
６４  ボア外管
６５  連通路
７１  圧力導入管
７２  補助空気導入管
７３  層流生成流路の空気取入口
７４  層流生成流路の空気吹出口
【図１】
2005337190.tif 000003
【図２】
2005337190.tif 000004
【図３】
2005337190.tif 000005
【図４】
2005337190.tif 000006
【図５】
2005337190.tif 000007
【図６】
2005337190.tif 000008
【図７】
2005337190.tif 000009
【図８】
2005337190.tif 000010
【図９】
2005337190.tif 000011